(57)【要約】【課題】増幅器の非線形性（歪み）を予め推定し、推定した非線形性（歪み）を利用して、増幅器への入力過程において積極的に非線形性を打ち消すことで、非線形補償（リニアライズ）をする送信機を提供する。【解決手段】本発明に係る送信機は、第１信号処理部(13)が入力信号から振幅信号（包絡線）を取得し、第１増幅器(11)は当該振幅信号に応じた信号を増幅して第２増幅器(12)にバイアス電圧を供給し、第２増幅器は第１増幅器からのバイアス電源を用いて入力信号を増幅することによって、入力信号の位相信号と振幅信号とを再合成し、比較器(19)は、第２増幅器の出力信号の振幅信号と、入力信号対して第１増幅器及び第２増幅器の理想特性に基づく利得を与えた基準信号とを比較することにより、第１増幅器及び第２増幅器の非線形歪み量を推定し、加算器(20)が当該非線形歪み量を第１増幅器への入力信号に加算することを特徴とする。【選択図】図１
2010154325.tif 000002
【特許請求の範囲】
【請求項１】
入力信号から振幅信号を取得する第１信号処理部と、
前記第１信号処理部からの前記振幅信号に応じた第１入力信号に基づき第１増幅信号を生成する第１増幅器と、
前記第１信号処理部からの第２入力信号と、前記第１増幅信号とに基づき第２増幅信号を生成する第２増幅器と、
前記第２増幅信号から振幅信号を取得する第２信号処理部と、
前記第１入力信号に利得を与えて基準信号を生成する利得設定部と、
前記第２信号処理部からの前記振幅信号に応じた第３入力信号と、前記基準信号とを比較し、比較信号を生成する比較器と、
前記第１信号処理部からの前記振幅信号と、前記比較信号とを加算し、前記第１入力信号を生成する加算器と、
を備え、
前記第１増幅器及び第２増幅器の少なくとも一方は、増幅特性が非線形であり、前記第２増幅信号は、前記第１増幅器及び第２増幅器の理想的な線形特性からの歪み量を含み、
前記利得設定部の前記利得は、前記第１増幅器及び第２増幅器の理想的な線形特性に従うものであり、
前記比較信号は、前記第１増幅器及び第２増幅器による歪み量の推定歪み量を含む、
ことを特徴とする送信機。
【請求項２】
送信機の信号処理方法であって、
第１信号処理部が、入力信号から振幅信号を取得するステップと、
第１増幅器が、前記第１信号処理部からの前記振幅信号に応じた第１入力信号に基づき第１増幅信号を生成するステップと、
第２増幅器が、前記第１信号処理部からの第２入力信号と、前記第１増幅信号とに基づき第２増幅信号を生成するステップと、
第２信号処理部が、前記第２増幅信号から振幅信号を取得するステップと、
利得設定部が、前記第１入力信号に利得を与えて基準信号を生成するステップと、
比較器が、前記第２信号処理部からの前記振幅信号に応じた第３入力信号と、前記基準信号とを比較し、比較信号を生成するステップと、
加算器が、前記第１信号処理部からの前記振幅信号と、前記比較信号とを加算し、前記第１入力信号を生成するステップと、
を含み、
前記第１増幅器及び第２増幅器の少なくとも一方は、増幅特性が非線形であり、前記第２増幅信号は、前記第１増幅器及び第２増幅器の理想的な線形特性からの歪み量を含み、
前記利得設定部の前記利得は、前記第１増幅器及び第２増幅器の理想的な線形特性に従うものであり、
前記比較信号は、前記第１増幅器及び第２増幅器による歪み量の推定歪み量を含む、
ことを特徴とする信号処理方法。
【発明の詳細な説明】
【技術分野】
【０００１】
この発明は、非線形特性を有する増幅器の歪みを推定し、非線形補償（リニアライズ）を行う送信機、および当該送信機における信号処理方法に関する。
【背景技術】
【０００２】
携帯電話等の無線通信端末においては、省電性に優れ、かつ歪みの少ない増幅器が求められる。しかし、一般に、増幅器をいわゆる非線形領域（飽和領域）で動作させると省電性が高まるが、歪み特性が劣化してしまうという問題がある。図９は、増幅器のＡＭ−ＡＭ特性（入力振幅に対する出力振幅の特性）における非線形の一例を示す図であり、図１０は、増幅器のＡＭ−ＰＭ特性（入力振幅に対する出力位相の特性）における非線形の一例を示す図である。
【０００３】
増幅器による歪みを緩和し、増幅特性の線形化を行う方式には、ＤＰＤ（Digital Pre Distortion）方式のようなＬＵＴ（Look Up Table）を用いた方式や、カーテシアンループ方式のようなフィードバック制御を利用した方式、及び、ＥＥＲ（Envelope Elimination and Reconstruction）またはポーラ変調と呼ばれる入力信号を振幅信号と位相信号とに分けて増幅する方式がある。
【０００４】
図１１は、ＤＰＤ方式による非線形補償の概要を示す図であり、図１２はＤＰＤ方式の概略回路構成を示す図である。ＤＰＤ方式のＬＵＴには、例えば、入力された信号の振幅又は（Ｉ，Ｑ）の値をインデックスとした補正係数が記入されている。当該ＬＵＴを用いて、入力された信号の値を補正することで、電力増幅器で発生する歪みを打ち消すような歪みを発生させることができる。図１３は、ＤＰＤ方式による具体的回路構成を示す図である。すなわち、ＬＵＴ１１０を用いて、この電力増幅器１１８の歪みと相殺するための信号を送信装置への入力信号にミキサ１１３で印加することにより、電力増幅器１１８の出力信号が送信装置への入力信号と線形になるように制御するものである（例えば、特許文献１乃至４参照）。
【０００５】
図１４は、フィードバック制御の概要を示す図であり、図１５は、ＩＱ入力信号に対するフィードバック方式の概略回路構成を示す図である。カーテシアンループ方式では、増幅器の出力信号を復調装置で復調して送信装置の入力側に入力することにより、増幅特性の線形化制御が行われる。図１６は、カーテシアンループ方式による具体的回路構成を示す図である。すなわち、送信装置への入力信号と電力増幅器１１９の出力信号とを可変利得減衰器１２３を介して取り込み、この信号を直交復調器１１７で復調した信号とを比較して振幅や位相の誤差を最小にするように制御回路１２５で可変利得減衰器１２３を制御するものである（例えば、特許文献５および６参照）。
【０００６】
図１７は、アナログ方式のＥＥＲの回路構成を示す図であり、図１８は、デジタル方式のＥＥＲの回路構成を示す図である。ＥＥＲ方式では、入力信号は２つに分岐され、一方の入力信号は検波回路へ入力することで振幅信号成分のみが取り出される。また、他方の入力信号はリミッタ回路によって位相信号成分のみの高周波信号となるため、高周波電力増幅を行う増幅器には振幅増幅が不要となる。これによって高周波増幅器は高効率な飽和増幅器を用いることができる。また、位相変調は比較的非線形歪の影響を受けにくいため、ＥＥＲ方式によって、増幅器の省電力性と増幅特性の線形性とを両立させることができる。（例えば、特許文献７参照）。
【０００７】
【特許文献１】特開２００７−２２１２４５号公報
【特許文献２】特開２００５−１５１１１９号公報
【特許文献３】特開２００６−１９７５４５号公報
【特許文献４】特開２００６−３４０１８１号公報
【特許文献５】特開平６−２６８５５０号公報
【特許文献６】特許第２８１１９６１号公報
【特許文献７】特開２００６−１４８８３５号公報
【発明の開示】
【発明が解決しようとする課題】
【０００８】
しかしながら、従来のＤＰＤ方式のＬＵＴは増幅器毎の特性の違いを考慮しておらず、各増幅器に対して共通のＬＵＴを用いるが、歪み補償精度は増幅器毎に異なるものであるため、一定の歪み補償精度を得ることは困難である。また、歪み特性は温度変化等により影響を受けるものであるが、従来のＤＰＤ方式では、かかる歪み特性の変化に対応することが難しい。また、ＬＵＴを随時書き換えるアダプティブなＤＰＤ方式も提案されているが、ＬＵＴを随時書き換えるための最適な更新アルゴリズムを見出すことは困難である。
【０００９】
カーテシアンループ方式では、例えば、ＡＭ−ＰＭ特性に非線形位相歪みがあると、制御系の動作を安定させることが困難であるという問題がある。さらに、ＥＥＲ方式によっても、増幅による非線形歪みの発生を完全に防ぐことは困難であり、ＥＥＲ方式のみでは、発生した非線形歪みに対応することはできない。
【００１０】
本発明は、このような課題に鑑みて創案されたもので、入力信号の振幅信号成分と位相信号成分と分けて増幅し、増幅器の省電力性と増幅特性の線形性との両立を意図した回路構成を含む無線機において、増幅器の非線形性（歪み）を予め推定し、推定した非線形性（歪み）を利用して、増幅器への入力過程において積極的に非線形性を打ち消すことで、ＡＭ−ＡＭ、ＡＭ−ＰＭ特性などの非線形補償（リニアライズ）をする送信機および信号処理方法を提供することである。
【課題を解決するための手段】
【００１１】
上述した諸課題を解決すべく、本発明の送信機は、
入力信号から振幅信号を取得する第１信号処理部と、
前記第１信号処理部からの前記振幅信号に応じた第１入力信号に基づき第１増幅信号を生成する第１増幅器と、
前記第１信号処理部からの第２入力信号と、前記第１増幅信号とに基づき第２増幅信号を生成する第２増幅器と、
前記第２増幅信号から振幅信号を取得する第２信号処理部と、
前記第１入力信号に利得を与えて基準信号を生成する利得設定部と、
前記第２信号処理部からの前記振幅信号に応じた第３入力信号と、前記基準信号とを比較し、比較信号を生成する比較器と、
前記第１信号処理部からの前記振幅信号と、前記比較信号とを加算し、前記第１入力信号を生成する加算器と、
を備え、
前記第１増幅器及び第２増幅器の少なくとも一方は、増幅特性が非線形であり、前記第２増幅信号は、前記第１増幅器及び第２増幅器の理想的な線形特性からの歪み量を含み、
前記利得設定部の前記利得は、前記第１増幅器及び第２増幅器の理想的な線形特性に従うものであり、
前記比較信号は、前記第１増幅器及び第２増幅器による歪み量の推定歪み量を含む、
ことを特徴とする。
【００１２】
また、上述した諸課題を解決すべく、本発明の信号処理方法は、
送信機の信号処理方法であって、
第１信号処理部が、入力信号から振幅信号を取得するステップと、
第１増幅器が、前記第１信号処理部からの前記振幅信号に応じた第１入力信号に基づき第１増幅信号を生成するステップと、
第２増幅器が、前記第１信号処理部からの第２入力信号と、前記第１増幅信号とに基づき第２増幅信号を生成するステップと、
第２信号処理部が、前記第２増幅信号から振幅信号を取得するステップと、
利得設定部が、前記第１入力信号に利得を与えて基準信号を生成するステップと、
比較器が、前記第２信号処理部からの前記振幅信号に応じた第３入力信号と、前記基準信号とを比較し、比較信号を生成するステップと、
加算器が、前記第１信号処理部からの前記振幅信号と、前記比較信号とを加算し、前記第１入力信号を生成するステップと、
を含み、
前記第１増幅器及び第２増幅器の少なくとも一方は、増幅特性が非線形であり、前記第２増幅信号は、前記第１増幅器及び第２増幅器の理想的な線形特性からの歪み量を含み、
前記利得設定部の前記利得は、前記第１増幅器及び第２増幅器の理想的な線形特性に従うものであり、
前記比較信号は、前記第１増幅器及び第２増幅器による歪み量の推定歪み量を含む、
ことを特徴とする。
【発明の効果】
【００１３】
本発明によれば、第１信号処理部が入力信号から振幅信号（包絡線）を取得し、第１増幅器は当該振幅信号に応じた信号を増幅して第２増幅器にバイアス電圧を供給し、第２増幅器は第１増幅器からのバイアス電源を用いて入力信号を増幅することによって、入力信号の位相信号と振幅信号とを再合成し、比較器は、第２増幅器の出力信号の振幅信号と、入力信号対して第１増幅器及び第２増幅器の理想特性に基づく利得を与えた基準信号とを比較することにより、第１増幅器及び第２増幅器の非線形歪み量を推定し、加算器が当該非線形歪み量を第１増幅器への入力信号に加算するため、入力信号の振幅信号成分と位相信号成分と分けて増幅し、増幅器の省電力性と増幅特性の線形性との両立を意図した回路構成を含む無線機において、増幅器の非線形性（歪み）を予め推定し、推定した非線形性（歪み）を利用して増幅器への入力過程において積極的に非線形性を打ち消すことで、ＡＭ−ＡＭ、ＡＭ−ＰＭ特性などの非線形補償（リニアライズ）をすることができる。
【発明を実施するための最良の形態】
【００１４】
以降、諸図面を参照しながら、本発明の実施態様を詳細に説明する。
【００１５】
（第１の実施形態）
図１は、本発明の一実施形態に係る送信機の回路構成を示す図である。送信機１０は、第１増幅器１１と、第２増幅器１２と、第１信号処理部１３と、ＤＡ変換部１４と、デジタル変調機１５と、周波数シンセサイザ１６と、ＩＱ復調部１７と、第２信号処理部１８と、比較器１９と、加算部２０とを備える。
【００１６】
第１信号処理部１３は、入力信号（ＩＱ）から、振幅信号（入力信号の包絡線信号）および位相信号を取得する。なお、入力信号のＩ，Ｑ成分に対し、振幅信号はＳＱＲＴ（Ｉ×Ｉ＋Ｑ×Ｑ）、位相信号はａｒｃｔａｎ（Ｑ／Ｉ）により算出することができる。第１信号処理部１３は、入力信号（ＩＱ）の振幅信号をＤＡ変換器１４に供給し、入力信号（ＩＱ）の位相信号をデジタル変調器１５に供給する。なお、第１信号処理部１３がデジタル変調器１５に供給する信号は、振幅が一定の信号に限られないことに留意されたい。
【００１７】
ＤＡ変換部１４は、振幅信号をＤＡ変換し、変換した信号を加算器２０に供給する。加算器２０は、ＤＡ変換部１４からの振幅信号と、比較器１９からの比較信号とを加算し、加算後の信号（第１入力信号）を第１増幅器１１に供給する。第１増幅器１１は、加算器２０からの第１入力信号を増幅して増幅信号（第１増幅信号）を出力するものである。一般に、振幅信号の増幅は非線形歪みの影響を受けやすいため、振幅の増幅には増幅器の線形領域を用いることが考えられるが、省電力性を考慮して、理想的な線形特性（以下、「理想特性」という。）からの歪み量を生じる増幅器を用いることもできる。
【００１８】
デジタル変調器１５は、周波数シンセサイザ１６からの信号に応じ、第１信号処理部１３から供給される信号のデジタル変調を行い、生成した信号（第２入力信号）を第２増幅器１２に供給する。第２増幅器１２は、第２入力信号を、第１増幅器１１からの第１増幅信号（バイアス電源）によって増幅することによって、振幅信号と位相信号とを再合成した信号（第２増幅信号）を生成する。第２増幅器１２は、ＡＭ−ＡＭ／ＡＭ−ＰＭといった増幅特性が非線形であり、理想特性から所定の歪み量を生じるものである。ＩＱ復調部１７は、第２増幅器１２からの第２増幅信号をＩＱ復調し、生成した信号を第２信号処理部１８に供給する。第２信号処理部１８は、ＩＱ復調部から供給された信号の振幅信号（包絡線信号）および位相信号を計算して信号（第３入力信号）を生成し、当該第３入力信号を比較器１９に供給する。
【００１９】
比較器１９は、利得設定部２１からの基準信号と、第２信号処理部１８からの第３入力信号とを減算（比較）する。利得設定部２１の利得は、第１増幅器１１及び第２増幅器１２の理想特性に従うものであるため、比較器１９は、基準信号と第３入力信号とを減算することによって、第１増幅器１１及び第２増幅器１２による歪み量の推定歪み量を含む比較信号を生成することができる。比較器１９は、生成した比較信号を加算器２０に供給する。加算器２０は、ＤＡ変換器１４を介する第１信号処理部１３からの信号と、比較器２０から供給される比較信号とを加算し、第１増幅器１１及び第２増幅器１２による歪み量を打ち消すように、第１増幅器に対する第２入力信号を生成する。
【００２０】
なお、第２信号処理部１８は、ＩＱ復調部から供給された信号を第１信号処理部に供給し、第１信号処理部１３においてフィードバック制御行うようにすることもできる。
【００２１】
図２は、増幅器の非線形特性の一例を表した回路構成を示す図である。図２に示すとおり、増幅器の非線形特性をｙ＝ｕ２でモデル化している。図３（ａ）は、当該回路構成における歪み量を示す図である。線ａは増幅器の理想特性（線形特性）を表し、線ｂは増幅器の非線形特性（ｙ＝ｕ２）を表し、線ｃは理想特性と非線形特性との差分（歪み量）を表す。図３（ｂ）は、図２の回路構成により、増幅器の特性の線形化（リニアライズ）を行った後の歪み量を示す図である。線ａは増幅器の理想特性（線形特性）を表し、線ｂはリニアライズ後の増幅器の特性を表し、線ｃは理想特性とリニアライズ後の特性との差分（歪み量）を表す。図３（ｂ）に示すとおり、増幅器の特性の線形化（リニアライズ）により、理想特性と増幅器の特性が近い値になり、歪み量を減少させることができる。図４は、図３（ｂ）より、より細かい演算ステップで、増幅器特性の線形化（リニアライズ）を行った場合の歪み量を示す図である。図３（ｂ）と同様に、線ａは増幅器の理想特性（線形特性）を表し、線ｂはリニアライズ後の増幅器の特性を表し、線ｃは理想特性とリニアライズ後の特性との差分（歪み量）を表す。図４に示すとおり、増幅器特性の線形化（リニアライズ）をより細かい演算ステップで行うほど、歪み量をより減少させることが出来る。
【００２２】
このように、本実施形態によれば、本発明に係る無線機は、第１信号処理部が入力信号から振幅信号（包絡線）を取得し、第１増幅器は当該振幅信号に応じた信号を増幅して第２増幅器にバイアス電圧を供給し、第２増幅器は第１増幅器からのバイアス電源を用いて入力信号を増幅することにより、入力信号の位相信号と振幅信号を再合成し、比較器は、第２増幅器の出力信号の振幅信号と、入力信号に対して第１増幅器及び第２増幅器の理想増幅特性に基づく基準信号とを比較し、第１増幅器及び第２増幅器の非線形歪み量を推定し、加算器が当該非線形歪み量を第１増幅器への入力信号に加算するため、入力信号の振幅信号成分と位相信号成分と分けて増幅し、増幅器の省電力性と増幅特性の線形性との両立を意図した回路構成を含む無線機において、第１増幅器及び第２増幅器の非線形性（歪み）を予め推定し、推定した非線形性（歪み）を利用して、増幅器への入力過程において積極的に非線形性を打ち消すことで、ＡＭ−ＡＭ、ＡＭ−ＰＭ特性などの非線形補償（リニアライズ）をすることができる。
【００２３】
（第２の実施形態）
図５は、本発明の一実施形態に係る送信機の回路構成を示す図である。送信機４０は、第２増幅器４１と、ＩＱ変調部４２と、ＩＱ復調部４３と、利得設定部４４と、第２信号処理部４５と、第１比較器４６と、第２比較器４７と、ＩＱ計算部４８と、第１調整部４９と、第２調整部５０と、第１加算器５１と、第２加算器５２と、第１信号処理部５３と、ＤＡ変換部５４と、第１増幅器５５とを備える。第１信号処理部５３は、入力信号（ＩＱ）から振幅信号（入力信号の包絡線信号）を取得する。なお、入力信号のＩ，Ｑ成分に対し、振幅信号はＳＱＲＴ（Ｉ×Ｉ＋Ｑ×Ｑ）、位相信号はａｒｃｔａｎ（Ｑ／Ｉ）により算出することができる。第１信号処理部５３は、入力信号（ＩＱ）の振幅信号をＤＡ変換器５４に供給する。ＤＡ変換部５４は、振幅信号をＤＡ変換し、変換した信号を第１増幅器５５に供給する。第１増幅器１１は、供給された信号を増幅して増幅信号を出力するものである。
【００２４】
第２増幅器４１は、第１増幅器５５からの信号をバイアス電源として、入力信号を増幅して出力信号を生成するものであるが、ＡＭ−ＡＭ／ＡＭ−ＰＭといった増幅特性が非線形であり、理想特性から所定の歪み量を生じるものである。ＩＱ変調部４２およびＩＱ復調部４３は、それぞれＩＱ変調およびＩＱ復調に必要となる所定の処理を行うものである。利得設定部４４は、入力されるＩＱ信号から、振幅および位相を取得するとともに、取得した振幅及び位相に対して第１増幅器及び第２増幅器の理想特性に従う利得を与える。第２信号処理部４５は、入力されるＩＱ信号から、振幅および位相を算出するものである。第１比較器４６および第２比較器４７は、それぞれ、利得設定部４４および第２信号処理部４５から供給される振幅Ｇ１、Ｇ２および位相θ１、θ２を比較するものであり、当該比較により、第１増幅器５５及び第２増幅器４１の非線形特性による歪み量を推定し、ΔＧおよびΔθを算出するものである。ＩＱ計算部４８は、第１比較器４６および第２比較器４７が算出したΔＧおよびΔθを、推定歪み量として、ＩＱ信号のΔＩおよびΔＱに変換し、ΔＩを第１調整部４９に、ΔＱを第２調整部５０に供給するものである。なお、ΔＧおよびΔθに対し、ΔＩはΔＧ×ｃｏｓΔθ、ΔＱはΔＧ×ｓｉｎΔθにより算出することが出来る。第１調整部４９および第２調整部５０は、ＩＱ計算部４８から供給されたΔＩおよびΔＱのレベルを調整するため、それぞれ、ΔＩおよびΔＱに所定の係数を乗じるものである。第１加算器５１および第２加算器５２は、それぞれ、入力信号のＩ、Ｑ成分と、第１調整部４９および第２調整部５０からの信号とを加算するものであり、増幅器１１の非線形特性による歪み量ｄを打ち消すように、入力信号ｕを生成するものである。
【００２５】
このように、本実施形態によれば、ＩＱ変調された入力信号に対しても、入力信号の振幅信号成分と位相信号成分と分けて増幅し、増幅器の省電力性と増幅特性の線形性との両立を意図した回路構成を含む無線機において、第１増幅器及び第２増幅器の非線形性（歪み）を予め推定し、推定した非線形性（歪み）を利用して、増幅器への入力過程において積極的に非線形性を打ち消すことで、ＡＭ−ＡＭ、ＡＭ−ＰＭ特性などの非線形補償（リニアライズ）をすることができる。
【００２６】
本発明を諸図面や実施例に基づき説明してきたが、当業者であれば本開示に基づき種々の変形や修正を行うことが容易であることに注意されたい。
【００２７】
（変形例）
例えば、基準信号の基となる利得設定部への信号を取得する位置は、加算器の後段のみに限られるわけではない。図６は、図１に示す送信機の回路構成から、基準信号の基となる利得設定部への信号を取得する位置を変更させたものである。図１の回路構成では、基準信号の基となる利得設定部２１への信号を加算器２０の後段で取得していたが、図６の回路構成では、基準信号の基となる利得設定部８２への信号を加算器８１の前段で取得している。
【００２８】
図７は、加算器の前段で基準信号を取得する回路構成の一例を示す図であり、増幅器の非線形特性をｙ＝ｕ２でモデル化している。当該回路構成における歪み量は、図３に示すとおりである。即ち、線ａは増幅器の理想特性（線形特性）を表し、線ｂは増幅器の非線形特性（ｙ＝ｕ２）を表し、線ｃは理想特性と非線形特性との差分（歪み量）を表す。図８は、図２の回路構成により、増幅器の特性の線形化（リニアライズ）を行った後の歪み量を示す図である。線ａは増幅器の理想特性（線形特性）を表し、線ｂはリニアライズ後の増幅器の特性を表し、線ｃは理想特性とリニアライズ後の特性との差分（歪み量）を表す。図８に示すとおり、増幅器の特性の線形化（リニアライズ）により、理想特性と増幅器の特性が近い値になり、歪み量を減少させることができる。しかし、図２に示すような加算器の後段で基準信号を取得する回路構成に比べ、線形化の効果が低下していることがわかる。しかし、例えば、図４に示すとおり、増幅器特性の線形化（リニアライズ）をより細かい演算ステップで行えば、歪み量をより減少させることが出来る。
【図面の簡単な説明】
【００２９】
【図１】本発明の一実施形態に係る送信機の回路構成を示す図である。
【図２】増幅器の非線形特性の一例を表した回路構成を示す図である。
【図３】本発明の一実施形態に係る回路構成の歪み量の一例を示す図である。
【図４】本発明の一実施形態に係る回路構成の歪み量の一例を示す図である。
【図５】本発明の一実施形態に係る送信機の回路構成を示す図である。
【図６】本発明の一実施形態に係る送信機の回路構成を示す図である。
【図７】増幅器の非線形特性の一例を表した回路構成を示す図である。
【図８】本発明の一実施形態に係る回路構成の歪み量の一例を示す図である。
【図９】増幅器のＡＭ−ＡＭ特性における非線形の一例を示す図である。
【図１０】増幅器のＡＭ−ＰＭ特性における非線形の一例を示す図である。
【図１１】ＤＰＤ方式による非線形補償の概要を示す図である。
【図１２】ＤＰＤ方式の概略回路構成を示す図である。
【図１３】ＤＰＤ方式による具体的回路構成を示す図である。
【図１４】フィードバック制御の概要を示す図である。
【図１５】ＩＱ入力信号に対するフィードバック方式の概略回路構成を示す図である。
【図１６】カーテシアンループ方式による具体的回路構成を示す図である。
【図１７】ＥＥＲポーラ方式の概略回路構成を示す図である。
【図１８】ＥＥＲポーラ方式の概略回路構成を示す図である。
【符号の説明】
【００３０】
１０、４０、７０  送信機
１１、５５、７２  第１増幅器
１２、４１、７１  第２増幅器
１３、５３、７３  第１信号処理部
１４、５４、７４  ＤＡ変換部
１５、７６  デジタル変調機
１６、７７  周波数シンセサイザ
１７、４３、７８  ＩＱ復調部
１８、４５、７９  第２信号処理部
１９、８０  比較器
２０、８１  加算器
２１、４４、８２  利得設定部
４６  第１比較器
４７  第２比較器
４９  第１調整部
５０  第２調整部
５１  第１加算器
５２  第２加算器
【図１】
2010154325.tif 000003
【図２】
2010154325.tif 000004
【図３】
2010154325.tif 000005
【図４】
2010154325.tif 000006
【図５】
2010154325.tif 000007
【図６】
2010154325.tif 000008
【図７】
2010154325.tif 000009
【図８】
2010154325.tif 000010
【図９】
2010154325.tif 000011
【図１０】
2010154325.tif 000012
【図１１】
2010154325.tif 000013
【図１２】
2010154325.tif 000014
【図１３】
2010154325.tif 000015
【図１４】
2010154325.tif 000016
【図１５】
2010154325.tif 000017
【図１６】
2010154325.tif 000018
【図１７】
2010154325.tif 000019
【図１８】
2010154325.tif 000020